(57)【要約】      （修正有）【課題】一つの枕で、ひじ枕の体勢において頭部を支持できるとともに、仰臥体勢においても頭部を支持できるようにする変形枕を提供する。【解決手段】変形枕として、仰臥体勢で頭部を支持できる枕であるベース枕と、前記ベース枕内部又は底面に少なくとも一部が存する板体又は棒体からなり、前記ベース枕の側部近傍に存する結節部を有する支持体と、前記結節部において前記ベース枕の前後方向に延びる回転軸周りに基端が回転可能に固定されるアームであって、立った状態に保持可能かつ解除可能に形成されるアームと、前記アームの先端に設けられる前記アームが立った状態で上面に支持面が形成される板体又はブロック体からなる頭部支持部とを設ける。【選択図】図２
0003198293.tif 000002
【実用新案登録請求の範囲】
【請求項１】
仰臥体勢で頭部を支持できる枕であるベース枕と、
前記ベース枕内部または底面に少なくとも一部が存する板体又は棒体からなり、前記ベース枕の側部近傍に存する結節部を有する支持体と、
前記結節部において前記ベース枕の前後方向に延びる回転軸周りに基端が回転可能に固定されるアームであって、立った状態に保持可能かつ解除可能に形成されるアームと、
前記アームの先端に設けられる前記アームが立った状態で上面に支持面が形成される板体又はブロック体からなる頭部支持部と
を有する変形枕。
【請求項２】
前記アームは２以上の回動位置に保持可能かつ解除可能に形成されるものである請求項１に記載の変形枕。
【請求項３】
前記アームと頭部支持部はクッション材で覆われ、前記ベース枕が上腕の形を、前記アームが前腕を、前記頭部支持部が手の形をそれぞれ模した形状を有する請求項１又は２に記載の変形枕。
【考案の詳細な説明】
【技術分野】
【０００１】
本考案は、ひじ枕のような体勢で頭部を支持できる形態をとるとともに、仰臥体勢でも頭部を支持できる形態をとることができる枕に関する。
【背景技術】
【０００２】
ひじ枕は長時間同じ姿勢で頭を腕で支えるため、腕がしびれてくることが多い。このような問題に対応するものとして、下記特許文献に示されるように、腕の代わりに頭部を支持する枕や腕の支持を補助する枕が提示されている。これらの枕は、床に載置されるベース部分に、高く配置された頭部支持部を支持固定する構造を有している。
【先行技術文献】
【特許文献】
【０００３】
【特許文献１】実用新案登録第3028682号公報
【特許文献２】特開2007-143932公報
【特許文献３】実開昭61-163573号公報
【特許文献４】特開2003-414公報
【特許文献５】特開2012-157607公報
【考案の概要】
【考案が解決しようとする課題】
【０００４】
ところで、ひじ枕のような体勢をとっていると、眠くなってきて仰臥体勢に移行したくなるような場合がある。しかし、上記特許文献に記載の考案では仰臥体勢で頭を支えるための構造がなく、ベース部分に頭部を無理に置いても快適さに欠けるという問題がある。
本考案は、このような問題に鑑みて、一つの枕で、ひじ枕の体勢において頭部を支持できるとともに、仰臥体勢においても頭部を支持できるようにすることを課題とする。
【課題を解決するための手段】
【０００５】
上記課題を解決するために、本考案は、次のような構成を有する。
請求項１に記載の発明は、仰臥体勢で頭部を支持できる枕であるベース枕と、前記ベース枕内部又は底面に少なくとも一部が存する板体又は棒体からなり、前記ベース枕の側部近傍に存する結節部を有する支持体と、前記結節部において前記ベース枕の前後方向に延びる回転軸周りに基端が回転可能に固定されるアームであって、立った状態に保持可能かつ解除可能に形成されるアームと、前記アームの先端に設けられる前記アームが立った状態で上面に支持面が形成される板体又はブロック体からなる頭部支持部とを有する変形枕である。
請求項２に記載の発明は、前記変形枕において、前記アームは２以上の回動位置に保持可能かつ解除可能に形成されるものである。
請求項３に記載の発明は、前記変形枕において、前記アームと頭部支持部はクッション材で覆われ、前記ベース枕が上腕の形を、前記アームが前腕を、前記頭部支持部が手の形をそれぞれ模した形状を有するものである。
【考案の効果】
【０００６】
以上のような構成により、本考案は、次のような効果を奏する。
請求項１に記載の考案は、アームを立てた状態に保持すれば頭部支持部によってひじ枕のような体勢で頭部を支持することが可能であり、アームを回転させて寝かした状態とすればベース枕をアームが邪魔することなくベース枕に仰臥体勢で頭部を支持させることが可能となる。
請求項２に記載の考案は、アームの角度を調節できることで使用者の好みに応じて、頭部支持部の位置を調節することができる。
請求項３に記載の考案は、全体を腕の形状に模したものとすることで、アームを立てて頭部支持部に頭を支持させるときにはひじ枕をした状態を想起でき、アームを寝かせてベース枕に頭を支持させるときには腕枕をした状態を想起でき、無機質な外観に比較してより安心感を擬似的に体感することができる。
【図面の簡単な説明】
【０００７】
【図１】（ａ）は実施形態に係る変形枕の正面図であり、（ｂ）は実施形態に係る変形枕の平面図である。
【図２】図１（ｂ）のＡ−Ａ線断面図である。
【図３】アームを立てた状態を示す実施形態に係る変形枕の正面図である。
【図４】第一の使用状態を示す正面図である。
【図５】第二の使用状態を示す正面図である。
【考案を実施するための形態】
【０００８】
以下、本考案の実施の形態について、図面を参照しながら説明する。
図１（ａ）に本実施形態に係る変形枕Ｘの正面図を示し、図１（ｂ）に変形枕Ｘの平面図を示す。また、図２に図１（ｂ）のＡ−Ａ線断面図を示す。変形枕Ｘはベース枕１０、アーム２０、頭部支持部３０を有する。変形枕Ｘは全体として手を含む腕の形状を模した形を有している。
ベース枕１０は上腕を模した形状を有するもので、底面が平らで上面がやや盛り上がった形状を有し、平面形状は後方側に突出した張り出し部１０ａが設けられた細長い俵型に形成される。ベース枕１０の内部底面には平面視とほぼ同じ形状の板体からなる支持体１１が設けられ、支持体１０の上面には左右方向に延びるパイプ１２が固定されている。パイプ１２の図における右端には後述する結節部１２ａが設けられる。支持体１０の上面側には発泡合成樹脂からなるクッション材１３が載置され、支持体１０及びクッション材１２は布で表面が覆われている。
アーム２０は図１においてベース枕１０の右側に連接して形成される前腕を模した形状を有するものであり、細長い棒状に形成される。アーム２０内部には前記ベース枕１０のパイプ１２端部に設けられる結節部１２ａに、前後方向に延びる回転軸に回転可能に基端が固定されるパイプからなるアームフレーム２１が設けられる。結節部１２ａは座椅子に一般的に用いられる角度調節機構が設けられるものであって、アームフレーム２１を立てる方向のみの回転を許容するラチェット歯車を用いたクラッチを備え、最も回転させた位置でクラッチが解除されることでアームフレーム２１を寝かせる方向に回転可能に形成されている。ラチェット歯車を用いることでアームフレーム２１は複数の回転位置で固定することができる。アームフレーム２１の周りは発泡合成樹脂からなるクッション材２２で覆われ、さらにクッション材２２の表面は布で覆われている。
頭部支持部３０はアーム２０の先端に固定される手を模した形状を有する部分であり、内部にひじ枕をしたときの手の形に近似した湾曲した板体３１が前記アームフレーム２１の先端に固定される。そして、当該板体３１の周りは発泡合成樹脂からなるクッション材３２で覆われ、さらにクッション材３２の表面が布で覆われている。なお、ベース枕１０、アーム２０、頭部支持部３０の表面を覆う布は互いの連結部分で一体になるよう繋がっている。
【０００９】
次に、以上のような構成を有するの使用方法について説明する。まず、ひじ枕のような体勢で頭部を支持する場合について説明する。アーム２０はベース枕１０に対して結節部１２ａによって回動可能かつ角度変更可能に接続されているので、アーム２０を立てるように回して好みの回転位置で固定する。アーム２０を立てた状態の例を図３に示す。図３に示すようにアーム２０を立てると頭部支持部３０は支持面となる手のひら部分が上方を向き頭部を支持しやすい配置となる。この状態で、使用者は横向きになって図４に示すように頭部を頭部支持体３０の上面に載せて支持させる。この際、ベース枕１０の後方に張り出し部１０ａが設けられているので、後方側に頭の重心を傾けることで張り出し部１０ａが倒れないように支持することで姿勢を安定させることができる。なお、図４に示すように肩をベース枕１０の端部に載せるとよりベース枕１０を安定させることができる。
仰臥姿勢で使用する場合は、アーム２０を伸ばして図１（ａ）（ｂ）のような状態として、図５に示すようにベース枕１０に頭部を載せる。アーム２０は頭部の横に位置するのでアーム２０が邪魔にならず快適に仰臥姿勢における枕として使用することができる。
このように本実施形態に係る変形枕は、ひじ枕のような姿勢で使用することができるとともに、形状を変えることで仰臥姿勢における枕としても使用することができる。
【００１０】
なお、上記実施形態では全体で腕の形状を模したものとしているが、機能が果たせるならば形状は問わず、頭部支持体を単純な湾曲した板状としたり、単純な球形のクッションとしたりでき、またアーム２０をアームフレーム２１のみにする等、デザインは適宜変更可能である。また、ベース枕１０の形状はより安定させるために面積を大きくしたり、錘を入れたりすることもできる。
【符号の説明】
【００１１】
Ｘ  変形枕
１０  ベース枕
１１  支持体
１２ａ  結節部
１３  クッション材
２０  アーム
２１  アームフレーム
２２  クッション材
３０  頭部支持部
３１  板体
３２  クッション材
【図１】
0003198293.tif 000003
【図２】
0003198293.tif 000004
【図３】
0003198293.tif 000005
【図４】
0003198293.tif 000006
【図５】
0003198293.tif 000007